(57)【要約】【課題】本考案は、導電端子を安定的に位置決めする電気コネクタを提供することを目的とする。【解決手段】本考案の電気コネクタは、第１本体と、前記第１本体に固持される複数の導電端子と、複数の前記導電端子を位置決めするための第２本体と、を備える。前記第１本体は、相手コネクタと接触する接触面と、前記接触面と対向する取付面と、一対の第１側壁と、前記第１側壁と直交する一対の第２側壁と、を有する。前記第２本体は、前記第１本体に対応する対応面を有する。前記第１本体の第１側壁には、係合部が設けられる。前記第２本体には、前記対応面を越えて前記第１本体の係合部と係合する係合ビームが設けられる。【選択図】図２
0003163750.tif 000002
【実用新案登録請求の範囲】
【請求項１】
相手コネクタと接触する接触面と、前記接触面と対向する取付面と、一対の第１側壁と、前記第１側壁と直交する一対の第２側壁と、を有する第１本体と、
前記第１本体に固持される複数の導電端子と、
前記第１本体に固着され、前記第１本体に対応する対応面を有し、複数の前記導電端子を位置決めするための第２本体と、
を備え、前記第１本体の第１側壁には、係合部が設けられ、前記第２本体には、前記対応面を越えて前記第１本体の係合部と係合する係合ビームが設けられることを特徴とする電気コネクタ。
【請求項２】
前記第１本体は、一対の前記係合部を有し、一対の前記係合部が、それぞれ前記第１本体の一対の第１側壁に配置され、前記第２本体は、一対の前記係合部と係合する一対の係合ビームを有することを特徴とする請求項１に記載の電気コネクタ。
【請求項３】
前記第１本体の各係合部は、係合溝を含み、前記係合溝の両側には、一対の階段部が設けられ、各前記係合ビームには、一対の前記階段部と係合する一対の係合鉤が設けられることを特徴とする請求項１に記載の電気コネクタ。
【請求項４】
前記第２本体には、一対の凹溝が形成され、一対の前記係合ビームが、一対の前記凹溝それぞれに設けられることを特徴とする請求項３に記載の電気コネクタ。
【請求項５】
前記第１本体には、前記取付面の両端から凹んだ導入溝が形成され、前記第２本体の両端には、前記対応面を越えて前記導入溝に挿入される一対の固定部材が設けられることを特徴とする請求項１に記載の電気コネクタ。
【請求項６】
前記第１本体が、主体部と前記主体部から上向きに延在する舌板とを有し、前記舌板の対向する二つの表面には、前記主体部に貫通して前記導電端子を収納するための複数の端子溝が形成されることを特徴とする請求項１に記載の電気コネクタ。
【請求項７】
前記第２本体は、横方向に沿って延在する一対の収納溝と、前記収納溝に貫通して前記導電端子を固定するための複数の端子孔と、を有し、隣接する二つの前記端子孔の間の距離が、隣接する二つの前記端子溝の間の距離より大きく、各前記導電端子が、接触部と、前記端子溝に収納される固持部と、前記端子孔から延在する半田接続部と、を有し、隣接する二つの前記半田接続部の間の距離が、対応する二つの接触部の間の距離より大きいことを特徴とする請求項６に記載の電気コネクタ。
【請求項８】
前記第１本体は、各第１側壁に形成される一対の凹所と、各第２側壁に設けられる第１係合部片とを備え、前記電気コネクタは、前記凹所に当接する一対の当接片と、前記第１係合部片と係合する凹口とを有するハウジングを備えることを特徴とする請求項１に記載の電気コネクタ。
【請求項９】
前記ハウジングが、前壁と後壁と一対の側壁とを有し、前記前壁には下向きに延在する第１取付脚が設けられ、前記後壁は、下向きに延在する一対の第２取付脚を有し、前記第１取付脚が一対の前記第２取付脚の間に配置されることを特徴とする請求項８に記載の電気コネクタ。
【考案の詳細な説明】
【技術分野】
【０００１】
本考案は、電気コネクタに関し、ディスプレイポートコネクタの導電端子を位置決めする部材に関するものである。
【背景技術】
【０００２】
従来技術の電気コネクタは、絶縁性本体と、絶縁性本体に挿入される複数の導電端子と、絶縁性本体の後端に取付けられて導電端子を固定する固定部材と、絶縁性本体を遮蔽するハウジングと、を備える。前記絶縁性本体は、一対の側壁を含む。一対の前記側壁の間には、収納穴が形成される。各側壁の内表面には、固定溝が形成される。前記固定部材には、前記導電端子に対応する複数の定位溝が形成される。前記固定部材の両側には、一対の突出部が設けられる。前記固定部材が前記絶縁性本体に装入される時、前記突出部は前記固定溝に固定される。
【先行技術文献】
【特許文献】
【０００３】
【特許文献１】台湾実用新案第Ｍ２７３０９８号明細書
【考案の概要】
【０００４】
前記突出部が大きければ、前記固定溝に装入し難い。前記突出部が小さければ、前記固定溝に固着できない。このような場合、導電端子を安定的に固定できなくて、又、位置決めできない。
【考案が解決しようとする課題】
【０００５】
そこで本考案は、上述される従来技術の問題に鑑み、安定的に導電端子を位置決めする電気コネクタを提供することを目的とする。
【課題を解決するための手段】
【０００６】
前記目的を達成するために、本考案の電気コネクタは第１本体と、前記第１本体に固持される複数の導電端子と、複数の前記導電端子を位置決めするための第２本体と、を備える。前記第１本体は、相手コネクタと接触する接触面と、前記接触面と対向する取付面と、一対の第１側壁と、前記第１側壁と直交する一対の第２側壁と、を有する。前記第２本体は、前記第１本体に対応する対応面を有する。前記第１本体の第１側壁には係合部が設けられる。前記第２本体には、前記対応面を越えて前記第１本体の係合部と係合する係合ビームが設けられる。
【考案の効果】
【０００７】
従来技術と比べると、本考案は以下の長所を有する。導電端子は、第１本体の端子溝と第２本体の端子孔とに固定される。係合ビームは内側と外側とに向かって弾力的に運動できる。このような係合ビームは、容易に製造されるとともに、第１本体の係合部と容易に係合される。第２本体は、第１本体に安定的に固着される。これにより、第２本体に固定される導電端子は、位置決めされる。
【図面の簡単な説明】
【０００８】
【図１】本考案の電気コネクタの組立斜視図である。
【図２】図１に示す電気コネクタのハウジングが第１本体に実装されない時の斜視図である。
【図３】図２に示す電気コネクタの分解斜視図である。
【図４】図２に示す電気コネクタの第１本体と第２本体との組立斜視図である。
【図５】図２に示す第２本体の斜視図である。
【考案を実施するための形態】
【０００９】
図１〜図５を参照すると、本考案の電気コネクタ１００は、垂直に回路基板に取り付けられる。電気コネクタ１００は、第１本体１と、前記第１本体１に固着される複数の導電端子２と、第１本体１に装着される第２本体３と、第１本体１を覆うハウジング４とを備える。
【００１０】
第１本体１は、主体部１５と、前記主体部１５から上向きに延在する舌板１６とを備える。主体部１５は、一対の第１側壁１３と、一対の第２側壁１４と、を含む。各第１側壁１３には、一対の凹所１３２と、一対の前記凹所１３２の間に形成される係合溝１３１とが形成される。各係合溝１３１には、一対の階段部１３１１が設けられる。一対の凹所１３２の両側には、一対のリブ１７が設けられる。第２側壁１４には、突出する第１係合部片１４１が設けられる。主体部１５の底面には、取付面１２が設けられる。主体部１５の両側には、前記取付面１２から凹む一対の導入溝１２１が形成される。
【００１１】
舌板１６は相手コネクタ（図示せず）と接触する接触面１１を含む。舌板１６の対向する二つの表面には、前記主体部１５に貫通する複数の端子溝１６１が形成される。舌板１６の両側には、一対の阻止部１６２が設けられる。
【００１２】
前記導電端子２は、二列に配置される。各前記導電端子２は、順番に、接触部２１と、固持部２２と、両側に向かって傾斜する傾斜部２３と、半田接続部２４と、を有する。両側の傾斜部２３は、中間の傾斜部２３より、大きい角度で傾斜する。これにより、半田接続部２３１が互いに半田接続されることを防止できる。隣接する二つの半田接続部２４の間の距離は、対応する二つの接触部２１の間の距離より大きい。
【００１３】
第２本体３は、対応面３１と、一対の第１側面３２と、一対の第２側面３３と、対応面３１から凹んで横方向に沿って延在する一対の収納溝３７と、一対の収納溝３７の間に設けられる隔板３９と、を有する。収納溝３７には、複数の端子孔３８が形成される。隣接する二つの前記端子孔３８の間の距離が、隣接する二つの前記端子溝１６１の間の距離より大きく。第２本体３の対応面３１の両側には、上向きに突出する一対の固定部材３６が設けられる。各第１側面３２の中間には、凹溝３５が形成される。前記凹溝３５には、上向きに突出する係合ビーム３４が設けられる。凹溝３５によって、係合ビーム３４が容易に成型される。係合ビーム３４の上端には、係合鉤３４１が設けられる。第２側面３３には、外へ突出する第２係合部片３３１が設けられる。
【００１４】
ハウジング４は金属材料によって押抜かれる。ハウジング４は、前壁４３と、前記前壁４３と対向する後壁４４と、一対の側壁４５と、を有する。ハウジング４の前壁４３と後壁４４とには、複数の弾力片４６と複数の当接片４１とが設けられる。前記前壁４３には、下向きに延在する第１取付脚４３１が設けられる。後壁４４には、下向きに延在する一対の第２取付脚４４１が設けられる。前記第１取付脚４３１が、一対の前記第２取付脚４４１の間に配置される。一対の側壁４５には、複数の弾力片４７と凹口４２とが設けられる。
【００１５】
図１〜図５に示すように、電気コネクタ１００を組み立てる時、複数の導電端子２が第１本体１の端子溝１６１に挿入される。複数の導電端子２は、二列に配置され、隔板３９によって隔てられる。導電端子２の接触部２１は、端子溝１６１から露出される。第２本体３は、第１本体１に装着される。第２本体３の対応面３１が、第１本体１の取付面１２と対応する。第２本体３は、第１本体１の導入溝１２１に沿って、挿入される。第２本体３の固定部材３６は、第１本体１の導入溝１２１に嵌められる。係合ビーム３４は、第１本体１の係合溝１３１に嵌められる。係合ビーム３４の係合鉤３４１は、第１本体１の階段部１３１１と係合する。導電端子２の半田接続部２４は、第２本体３の端子孔３８に挿入される。ハウジング４は、第１、第２本体１，３の外側を遮蔽する。ハウジング４の当接片４１は、第１本体１の凹所１３２に当接する。第１本体１の第１係合部片１４１と第２本体３の第２係合部片３３１とは、ハウジング４の凹口４２と係合する。一体に組み立てられた電気コネクタ１００は、第１、第２取付脚４３１，４４１によって、回路基板に取り付けられる。
【００１６】
第１本体１の第１側壁１３には、表面から凹む係合溝１３１が容易に形成される。係合ビーム３４は階段部１３１１と係合することによって、第２本体３は第１本体１に固着できる。一対の係合ビーム３４は、弾力的に近付く或いは離れる。このような係合ビーム３４は、容易に製造されるとともに、階段部１３１１と容易に係合する。第２本体３は第１本体１に安定的に固着される。これにより、第２本体３の端子孔３８に固着される導電端子２は、安定的に位置決めされる。又、導入溝１２１に挿入される固定部材３６によって、第２本体３が第１本体１に容易に装着される。
【００１７】
他の実施形態において、第１本体１の二つの係合溝１３１は、前後方向に沿ってオフセットする。同時に、第２本体２の二つの係合ビーム３４は、前後方向に沿ってオフセットする。別の実施形態において、二つの係合溝１３１は、それぞれ第１本体１と第２本体２とに形成される。同時に、二つの係合ビーム３４は、それぞれ第１本体１と第２本体２とに設けられる。
【００１８】
以上、本考案について好ましい実施形態を参照して詳細に説明したが、実施形態はあくまでも例示的なものであり、これらに限定されるものではない。また上述の説明は、本考案に基づき成し得る細部の修正或いは変更などは、いずれも本考案の技術的範囲に属するものである。
【符号の説明】
【００１９】
１００  電気コネクタ
１  第１本体
１１  接触面
１２  取付面
１２１  導入溝
１３  第１側壁
１３１  係合溝
１３１１  階段部
１３２  凹所
１４  第２側壁
１４１  第１係合部片
１５  主体部
１６  舌板
１６１  端子溝
１６２  阻止部
１７  リブ
２  導電端子
２１  接触部
２２  固持部
２３  傾斜部
２４  半田接続部
３  第２本体
３１  対応面
３２  第１側面
３３  第２側面
３３１  第２係合部片
３４  係合ビーム
３４１  係合鉤
３５  凹溝
３６  固定部材
３７  収納溝
３８  端子孔
３９  隔板
４  ハウジング
４１  当接片
４２  凹口
４３  前壁
４４  後壁
４３１  第１取付脚
４４１  第２取付脚
４５  側壁
４６，４７  弾力片
【図１】
0003163750.tif 000003
【図２】
0003163750.tif 000004
【図３】
0003163750.tif 000005
【図４】
0003163750.tif 000006
【図５】
0003163750.tif 000007